(57)【特許請求の範囲】
【請求項１】
システムキッチンのカウンタートップ(11)に形成された装着口(12)の周りを上方から覆う態様で配設された枠状の防熱板(7)と、
前記防熱板(7)の下面と前記カウンタートップ(11)との間に断熱用間隙を確保する為のスペーサとを具備するドロップインコンロの装着部の構造であって、
前記装着口(12)に落とし込まれるドロップインコンロ(2)の胴部外周に張り出した吊下げフランジ(23)は、前記カウンタートップ(11)の上方に位置する防熱板(7)の内周部に上方から係合し、
前記防熱板(7)の外周部は前記装着口(12)に落とし込まれたドロップインコンロの周りに露出し、
前記カウンタートップ(11)に於ける前記装着口(12)の周囲には、前記防熱板(7)を外周拘束状態に嵌入装着する為の嵌入凹部が形成されており、
前記防熱板(7)の内周には、前記嵌入装着された状態にて前記装着口(12)の内周壁に対して通気用間隙を存して対向する内周板(62)が垂下しており、
前記断熱用間隙は前記通気用間隙を介して大気に連通する、ドロップインコンロの装着部の構造。
【請求項２】
前記防熱板(7)の前記内周部は、その外側より低くなっている請求項１に記載のドロップインコンロの装着部の構造。
【発明の詳細な説明】
【０００１】
【発明の属する技術分野】
この発明は、システムキッチンのカウンタートップ等に形成された装着口にドロップインコンロを装着する部分の構造に関するものである。
【０００２】
【従来の技術】
ドロップインコンロが組み付けられるシステムキッチンのカウンタートップは、木板や人工大理石等の種々の材質で形成されたものがあり、耐熱性が不十分な材質のカウンタートップでは、上記ドロップインコンロからの熱で加熱された場合に変色等の熱的損傷を受ける。
【０００３】
図８に示すドロップインコンロ(2)は、箱状に形成された本体ケース(20)と、該本体ケース(20)の上端開口部を被蓋し且つ下方に絞られた天板(41)と、該天板(41)に載置収容される五徳(51)と、更に、前記天板(41)の底壁を上下に貫通する態様で配設されたガスバーナ(31)を具備しており、上記五徳(51)の爪片(52)と天板(41)の上端の外周フランジ(42)の上面はほぼ同一高さになっている。これにより、コンロ上面をフラットな感じに仕上げて、五徳(51)とカウンタートップ(11)の相互間での鍋の円滑なスライドが実現できるようにしている。
【０００４】
上記ドロップインコンロ(2) は、システムキッチンのカウンタートップ(11)に形成された装着口(12)に胴部を落とし込むと共に、その上端外周に張り出した吊下げフランジ(23)を上記装着口(12)の周縁に上方から係止させて使用する。
又、五徳(51)に載置した鍋をガスバーナ(31)で加熱すると、該ガスバーナ(31)からの燃焼排気が前記鍋(91)の底面に沿ってその外周側へ流動して外部に排出される。
【０００５】
【発明が解決しようとする課題】
このものでは、同図の想像線で示す如く五徳(51)に大きな鍋(91)が載置された場合には、鍋底の外周部から外部に排出される燃焼排気(A) がカウンタートップ(11)に接触して該カウンタートップ(11)を加熱する。従って、該カウンタートップ(11)が耐熱性の不十分な材料で形成されている場合にはこれが変色等の熱的損傷を受ける場合がある。
【０００６】
特に、五徳(51)の上面と天板(41)の外周フランジ(42)の上面がほぼ同一高になっている図８の如きドロップインコンロでは、五徳(51)に載置された鍋(91)の底面とカウンタートップ(11)上面との高低差が小さいことから、上記燃焼排気(A) がカウンタートップ(11)の表面に一層接触し易く、該カウンタートップ(11)が熱的損傷を受け易い。
【０００７】
本願発明はかかる点に鑑みてなされたもので、カウンタートップ(11)に於ける装着口(12)の周辺部が、これに装着されたドロップインコンロ(2)からの燃焼排気で熱的損傷を受けるのを防止することを課題とする。
【０００８】
【課題を解決するための手段】
上記課題を解決するために採用した請求項１の発明の技術的手段は、
『システムキッチンのカウンタートップ(11)に形成された装着口(12)の周りを上方から覆う態様で配設された枠状の防熱板(7)と、
前記防熱板(7)の下面と前記カウンタートップ(11)との間に断熱用間隙を確保する為のスペーサとを具備するドロップインコンロの装着部の構造であって、
前記装着口(12)に落とし込まれるドロップインコンロ(2)の胴部外周に張り出した吊下げフランジ(23)は、前記カウンタートップ(11)の上方に位置する防熱板(7)の内周部に上方から係合し、
前記防熱板(7)の外周部は前記装着口(12)に落とし込まれたドロップインコンロの周りに露出し、
前記カウンタートップ(11)に於ける前記装着口(12)の周囲には、前記防熱板(7)を外周拘束状態に嵌入装着する為の嵌入凹部が形成されており、
前記防熱板(7)の内周には、前記嵌入装着された状態にて前記装着口(12)の内周壁に対して通気用間隙を存して対向する内周板(62)が垂下しており、
前記断熱用間隙は前記通気用間隙を介して大気に連通する』ことである。
【０００９】
上記技術的手段は次のように作用する。
ドロップインコンロ装着口用の上記防熱板(7)を、カウンタートップ(11)に形成された装着口(12)の周囲の嵌入凹部に嵌入装着し、この状態で前記装着口(12)内に上方からドロップインコンロ(2)の胴部を落とし込むと、該ドロップインコンロ(2)の胴部外周に形成された吊下げフランジ(23)が上記防熱板(7)の内周部に上方から係合し、これにより、ドロップインコンロ(2)がカウンタートップ(11)に装着状態になる。
この装着状態では、上記防熱板(7)の外周部はカウンタートップ(11)上面に於いてドロップインコンロ(2)の周りに露出している。従って、加熱対象たる大きな鍋(91)の鍋底とドロップインコンロ(2)の間から燃焼排気が排出されても、これが、前記ドロップインコンロ(2)の周りに露出する前記防熱板(7)の上面に接触し、該燃焼排気が直接的にカウンタートップ(11)に接触することはない。
【００１０】
一方、上記技術的手段では、装着状態にある防熱板(7)の下面と前記カウンタートップ(11)との間に断熱用間隙を確保する為のスペーサが設けられているから、前記断熱用間隙内の空気によりカウンタートップ(11)が一層加熱されにくくなる。
更に、前記断熱用間隙内が、防熱板(7)の内周から垂下する内周板(62)とドロップインコンロの装着口(12)の内周壁との相互間たる通気用間隙を介して大気に連通し、該通気用間隙内の空気が外気と入れ替わる。従って、前記断熱用間隙内の温度上昇が一層確実に抑えられる。
【００１１】
請求項２の発明のように、『前記防熱板(7)の前記内周部は、その外側より低くなっている』ものでは、防熱板(7)の内周部にドロップインコンロ(2)の胴部外周の吊下げフランジ(23)を係合して使用する。
すると、上記吊下げフランジ(23)が係合する防熱板(7)の内周部はその外側より低くなっているから、カウンタートップ(11)の上面からのドロップインコンロ(2)の突出高さが低くなる。
【００１５】
【発明の効果】
以上説明したように、請求項１〜２の発明によれば、ドロップインコンロ(2)とこれに載置された鍋(91)の間から排出される燃焼排気がカウンタートップ(11)を直接的に加熱するのを防止できるから、該カウンタートップ(11)の熱的損傷を防止することができる。
【００１６】
又、防熱板(7)の下面とカウンタートップ(11)との間の断熱用間隙によって該カウンタートップ(11)の加熱が一層防止されるから、該カウンタートップ(11)が一層熱的損傷を受けにくくなる。
更に、防熱板(7)の下面とカウンタートップとの間の断熱用間隙内の空気が通気構造によって外気と入れ替えられて該断熱用間隙内の温度上昇が更に抑えられるから、一層確実にカウンタートップ(11)の熱的損傷が防止される。
【００１７】
請求項２の発明では、ドロップインコンロ(2)がカウンタートップ(11)上面から突出する高さを低くできるから、カウンタートップ(11)の上面をフラットに仕上げることができてコンロ上面とカウンタートップ(11)上面の相互間で鍋(91)を一層円滑にスライドさせることができる。
【００１９】
【発明の実施の形態】
次に、上記発明の実施の形態を説明する。
［第１番目の実施の形態について］
図１に示すように、本実施の形態に係るドロップインコンロ装着口用の防熱板(7) は、平面視が全体として矩形枠状に形成されており、上板(61)とその内周縁から垂下する内周板(62)と外周縁から垂下するスペーサーたる外周板(63)を具備している。尚、図１は、防熱板(7) の一部を切り欠いた状態を示している。
【００２０】
上記防熱板(7) は板厚が０．７ｍｍ〜１．０ｍｍのステンレス板を絞り加工したもので、カウンタートップ(11)の長手方向に対応する横幅(S8)は約９００ｍｍに設定され、これに直交する方向の縦幅(S9)は約５５０ｍｍに設定されている。
又、上板(61)においてカウンタートップ(11)の長手方向に延びる一対の横辺部(66)(67)の幅(S2)は約４５ｍｍに設定され、他の一対の縦辺部(68)(69)の幅(S1)は約１７０ｍｍに設定されている。又、外周板(63)の垂下長さ(S3)は約５ｍｍ〜１０ｍｍに、内周板(62)の垂下長さ(S4)は約１０ｍｍ〜３０ｍｍに設定されている。又、この実施の形態では、横辺部(66)(67)の外縁から内側へ２０ｍｍの幅の領域及び、縦辺部(68)(69)の外縁から内側へ１５５ｍｍの領域が、夫々、カウンタートップ(11)に装着したドロップインコンロ(2) の周りに露出するようになっている。従って、この露出する部分が、請求項１の発明の発明特定事項たる外周部に対応し、これより内側が、請求項１の発明の発明特定事項たる内周部に対応する。
【００２１】
上記防熱板(7)は、カウンタートップ(11)に形成された図１の如き形状を有する装着口(12)に装着される。
カウンタートップ(11)上面に於ける装着口(12)の周りには凹部(14)（既述発明特定事項たる「嵌入凹部」に対応する。）が形成されており、該凹部(14)に防熱板(7)が落とし込み状態に装着されるようになっている。
従って、この凹部(14)の外周の起立壁(15)の高さは上記防熱板(7)に於ける外周板(63)の垂下長さ(S3)と一致しているが、凹部(14)に於けるカウンタートップ(11)の長手方向に対応する一対の横辺部(16)(17)の幅(S7)はこれに対応する防熱板(7)の横辺部(66)(67)の幅(S2)より若干小さく設定されており、又、凹部(14)に於ける縦辺部(18)(19)の幅(S6)はこれに対応する防熱板(7)の縦辺部(68)(69)の幅(S1)より若干小さく設定されている。これは防熱板(7)を装着口(12)に装着した際に、該装着口(12)の内周壁と内周板(62)との間に後述する空気を入れ替える為の通気路(K)となる通気用間隙が形成されるようにする為である。
【００２２】
このものでは、システムキッチンのカウンタートップ(11)に形成された図１の如き形状の装着口(12)に防熱板(7)を上方から対向させ、その内周板(62)を上記装着口(12)内に挿入すると、上板(61)の外周縁から垂下する外周板(63)がカウンタートップ(11)に於ける凹部(14)の起立壁(15)近傍に載置状態（外周拘束状態）になり、該起立壁(15)と上記外周板(63)により、防熱板(7)が横移動しなくなって装着口(12)に対して位置決めされる。そして、防熱板(7)の外周板(63)と上記起立壁(15)の間隙にコーキング材(81)を充填し、該部分に鍋(91)からの煮こぼれが侵入するのを防止する。
【００２３】
次に、ドロップインコンロ(2) の胴部を防熱板(7) の中央孔(74)に上方から落とし込み、該ドロップインコンロ(2) の胴部上端の吊下げフランジ(23)を防熱板(7) の上板(61)に係合させると、図２のようにドロップインコンロ(2) の組み付け作業が完了する。
この状態では、図２の如く、防熱板(7) の既述した外周部がドロップインコンロ(2) の天板(41)の外周フランジ(42)の周りに露出する。
【００２４】
又、図２の如く、防熱板(7)の上板(61)から垂下する内周板(62)とカウンタートップ(11)に形成された装着口(12)の内周壁の間に、通気路(K)となる通気用間隙が形成された状態になり、上板(61)とカウンタートップ(11)の間の断熱用間隙たる断熱空間(47)が前記通気路(K)を介して大気に連通した状態になる。
図２の想像線で示すように大きな鍋(91)を五徳(51)に載置してガスバーナ(31)を燃焼させると、該ガスバーナ(31)からの燃焼排気は、鍋(91)の底面を伝ってその外周側に移動し、該燃焼排気が鍋(91)と天板(41)の外周フランジ(42)の間隙から排出される。すると、排出された燃焼排気(A)は防熱板(7)の上板(61)の外周部(72)に接触しカウンタートップ(11)の表面に直接に接触するのが防止される。よって、装着口(12)が人工大理石等の耐熱性の不十分な材料で形成されている場合であっても、これが熱的損傷を受けたり変色する不都合が少なくなる。
【００２５】
又、内周板(62)により、ドロップインコンロ(2)側からカウンタートップ(11)の装着口(12)の内周壁に及ぶ熱も遮ることができると共に、内周板(62)が上板(61)から折り曲げられているので上板(61)の内周部の強度が向上し、ドロップインコンロ(2)の吊下げフランジ(23)を確実に受け止められる。又、防熱板(7)の内周板(62)と装着口(12)の内周壁の間には通気路(K)となる通気用間隙が形成されているから、防熱板(7)の上板(61)とカウンタートップ(11)の間に形成される断熱用間隙たる断熱空間(47)内の空気が前記通気路(K)によって外気と入れ替えられる。従って、上記断熱空間(47)内に熱気が籠る不都合が回避され、カウンタートップ(11)の熱的損傷が一層確実に抑えられる。
【００２６】
尚、上記断熱空間(47)内の空気は、通気路(K)を介して自然に外気と入れ替わるが、外気との入れ替えを確実にする為には、ドロップインコンロ(2)の本体ケース(20)に於いて上記通気路(K)の下端の下方隣接位置（図２に於けるＲの位置）に吸気孔を形成するのが望ましい。ガスバーナ(31)の燃焼時のドラフトで外気が前記吸気口から本体ケース(20)内に吸引される際に、前記通気路(K)を介して断熱空間(47)内の空気も吸引され、これにより、上記断熱空間(47)内の空気を外気と積極的に入れ替えることができるからである。このことは、以下の各実施の形態においても同様である。
【００２９】
［第２番目の実施の形態］
図４，図５は既述図１に示した防熱板(7)の上板(61)の内周部に段部(60)が形成されている点を除いて、第１番目の実施の形態のものと同様に構成されている。
【００３０】
このものでは、第１番目の実施の形態と同様にカウンタートップ(11)の装着口(12)部分に防熱板(7) を装着すると共に、その内周部の段部(60)にドロップインコンロ(2) の胴部上端外周の吊下げフランジ(23)を係止させると、図５に示す組み付け状態になる。
このものでは、ドロップインコンロ(2) の吊下げフランジ(23)が段部(60)に収容されるから、ドロップインコンロ(2) の上面（五徳(51)の頂面）とカウンタートップ(11)の上面の高低差が更に小さくなり、カウンタートップ(11)上面が一層フラットな感じに仕上げられる。
【００３１】
［第３番目の実施の形態］
図３のものは、防熱板(7)の上板(61)の内周部を外周部より高くし、これにより防熱板(7)の周方向に沿って連続する環状隆起部(64)を形成している点を除いて第１番目の実施の形態のものと同様に構成されている。
【００３２】
このものでは、第１番目の実施の形態と同様にカウンタートップ(11)の装着口(12)部分に防熱板(7)を装着すると共に、その内周部の環状隆起部(64)にドロップインコンロ(2)の胴部上端外周の吊下げフランジ(23)を係止させると、図３に示す組み付け状態になる。
このものでは、ドロップインコンロ(2)の吊下げフランジ(23)が環状隆起部(64)に載置される。従って、ドロップインコンロ(2)で加熱される鍋からの煮汁が上記環状隆起部(64)の外側に吹きこぼれた場合には、該煮こぼれが環状隆起部(64)で堰き止められてこれが防熱板(7)の内周縁からカウンタートップ(11)の下方に漏れたり、ドロップインコンロ(2)のコンロ本体(20)と天板(41)の嵌合境界部から該コンロ本体(20)内に侵入することがない。従って、例えば図２のようにコンロ本体(20)の吊下げフランジ(23)にシール用のゴムパッキン(P)を必ずしも設ける必要はない。尚、防熱板(7)の上板(61)の内周縁と外周縁の中間部に所定幅の環状隆起部(64)を形成し、該環状隆起部(64)の内側と外側を該環状隆起部(64)の頂面より低くしてもよい。
【００３３】
［第４番目の実施の形態］
図６のものは、防熱板(7)の上板(61)の内周縁と外周縁の中間部に位置する所定幅の環状凹溝(71)を該防熱板(7)の周方向に連続形成した点を除いて第１番目の実施の形態のものと同様に構成されている。
【００３４】
このものでは、カウンタートップ(11)の装着口(12)部分に防熱板(7)を装着すると共に、環状溝(71)の内側に位置する内周部(73)にドロップインコンロ(2)の吊下げフランジ(23)を係止させる。
このものでは、ドロップインコンロ(2)で加熱される鍋からの煮汁が上記環状溝(71)に貯留されるから、該煮こぼれがドロップインコンロ(2)のコンロ本体(20)と天板(41)の嵌合境界部から該コンロ本体(20)内等に侵入する不都合がない。よって、上記第３番目の実施の形態と同様に、上記吊下げフランジ(23)にシール用のゴムパッキン(P)を必ずしも設ける必要がない。
【００３５】
［第５番目の実施の形態］
図７に示す第５番目の実施の形態では、防熱板(7)の構造は矩形枠状の上板(61)とその内周縁から屈曲垂下する内周板(62)を備えたものとなっている。
又、システムキッチンのカウンタートップ(11)に開設された装着口(12)を包囲するように形成されている凹部(14)の更に外側に、該凹部(14)の外周縁に沿って形成され且つ該凹部(14)より浅い防熱板載置段部(13)が設けられており、上記防熱板載置段部(13)の深さは、防熱板(71)の上板の板厚と同じ寸法に設定されている。尚、本実施の形態では、防熱板載置段部(13)の外周起立壁の内側全体が既述発明特定事項として記載した「嵌入凹部」に対応する。
【００３６】
このものでは、防熱板(7)の上板(61)の外周縁近傍を、上記防熱板載置部(13)に載置係合させると、防熱板(7)が図７のように装着口(12)部分に取付けられ、該防熱板(7)の下面とカウンタートップ(11)の上下間に断熱用間隙たる断熱空間(47)が形成される。従って、このものでは、装着状態にある防熱板(7)の内周板(62)とカウンタートップ(11)の装着口(12)の内周壁の間には、上記断熱空間(47)内の空気を外気と入れ替える為の通気路(K)となる通気用間隙が形成される。
【００３７】
尚、本実施の形態においては、上板(61)を第２番目〜第４番目の実施の形態に於いて外周板(63)を設けないものと同様の構造及び機能を有するものに変更することができる。
【図面の簡単な説明】
【図１】  本発明の実施の形態に係る一部切欠状態の防熱板(7)をカウンタートップ(11)の装着口(12)に上方から対向させた状態を示す斜視図
【図２】  本発明の実施の形態に係る防熱板(7)の使用状態の断面図
【図３】  第３番目の実施の形態に係る防熱板(7)の要部断面図
【図４】  第２番目の実施の形態に係る防熱板(7)の断面図
【図５】  第２番目の実施の形態に係る防熱板(7)の使用状態の断面図
【図６】  第４番目の実施の形態に係る防熱板(7)の断面図
【図７】  第５番目の実施の形態に係るドロップインコンロの装着部の要部断面図
【図８】  従来例の説明図
【符号の説明】
(2) ・・・ドロップインコンロ
(7) ・・・防熱板
(11)・・・カウンタートップ
(12)・・・装着口
(23)・・・吊下げフランジ
(K) ・・・通気路
【図１】
0003686746.tif 000002
【図２】
0003686746.tif 000003
【図３】
0003686746.tif 000004
【図４】
0003686746.tif 000005
【図５】
0003686746.tif 000006
【図６】
0003686746.tif 000007
【図７】
0003686746.tif 000008
【図８】
0003686746.tif 000009